(57)【特許請求の範囲】
【請求項１】
便器本体及び便座を有する洋風便器であり、
上方に向けた尿受面を有し、該尿受面が前記便器本体の正面側に出っ張って設けられる尿受と、
前記尿受を前記便器本体に対して出し入れする駆動手段と、
前記便座の開閉を検知して、該便座の開状態又は閉状態の信号を出力する検知手段と、
前記検知手段からの信号を受信して、前記駆動手段による前記尿受の出入りを制御する制御手段と、
を備えた洋風便器。
【請求項２】
前記尿受の出っ張り部の周縁に、クッション材を備えたことを特徴とする請求項１に記載の洋風便器。
【請求項３】
前記尿受面に水を流す流水手段を備え、
前記制御手段は、前記検知手段から受信した信号に基づいて、前記流水手段による水の流れを制御することを特徴とする請求項１または２に記載の洋風便器。
【請求項４】
使用者に操作される操作スイッチを備え、
前記制御手段は、前記操作スイッチからの信号を受信して、前記駆動手段による前記尿受の出入りを制御することを特徴とする請求項１〜３のいずれかに記載の洋風便器。
【請求項５】
前記制御手段は、前記操作スイッチから受信した信号に基づいて、前記流水手段による水の流れを制御することを特徴とする請求項４に記載の洋風便器。
【請求項６】
前記尿受は、前記駆動手段に対して着脱可能に設けたことを特徴とする請求項１〜５のいずれかに記載の洋風便器。
【請求項７】
前記便器本体の正面側の上縁前方部に、便鉢の下方に向かって傾斜する勾配が設けられたことを特徴とする請求項１〜６のいずれかに記載の洋風便器。
【発明の詳細な説明】
【技術分野】
【０００１】
本発明は、洋風便器に関する。
【背景技術】
【０００２】
一般に、便座が設けられた洋風便器を使って、男性が小用をするとき、便座を開いて、立った状態で洗浄面に向けて小用をする。始め尿は勢いよく洗浄面に向けて放出されるが、小用の最後になると尿の放出の勢いが弱まり、男性の立ち位置側に尿が放出されるようになる。その結果、便器本体外に尿が飛散し、床を汚すことが多い。
【０００３】
このような事情から、特許文献1には、洋風便器において、上方からの飛散した尿を受けるための飛散尿受具が一体に設けられた便器本体が記載されている。その飛散尿受具は、便器本体の先端及び両側に、飛散尿受具を延出させて連続的に形成されている。便器本体の前方の側壁には、流入孔が開設されている。このような便器本体によれば、男性の立ち位置側に接近して尿が放出された場合、飛散尿受具が飛散尿を受けて便鉢へ流すので、尿が便器本体外にこぼれない。しかしながら、家庭等における洋式便器は、女性も使用し、便器本体から突出して設けられた飛散尿受具は、女性から見れば不必要なものである。また男性であっても着座して用をたすときには、飛散尿受具は不必要なものであり、便器本体から突出しているため、かえって邪魔になる。
【先行技術文献】
【特許文献】
【０００４】
【特許文献１】登録実用新案第３０５３９１８号
【発明の概要】
【発明が解決しようとする課題】
【０００５】
本発明の目的は、立ちながら小用をする使用者の飛散尿による汚れを防ぎ、他の使用者の使用を阻害しない洋風便器を提供する。
【課題を解決するための手段】
【０００６】
（１）本発明に係る便器本体及び便座を有する洋風便器は、上方に向けた尿受面を有し、該尿受面が便器本体の正面側に出っ張って設けられる尿受と、前記尿受を便器本体の内外に出入りさせる駆動手段と、前記便座の開閉を検知して、該便座の開状態又は閉状態の信号を出力する検知手段と、前記検知手段からの信号を受信して、前記駆動手段による前記尿受の出入りを制御する制御手段と、を備えたことを特徴とする。
（２）また、前記尿受の出っ張り部の周縁に、クッション材を備えたことを特徴とする。
（３）さらに、前記尿受面に水を流す流水手段を備え、前記制御手段は、前記検知手段から受信した信号に基づいて、前記流水手段による水の流れを制御することを特徴とする。
（４）さらにまた、使用者に操作される操作スイッチを備え、前記制御手段は、前記操作スイッチからの信号を受信して、前記駆動手段による前記尿受の出入りを制御することを特徴とする。
（５）また、前記制御手段は、前記操作スイッチから受信した信号に基づいて、前記流水手段による水の流れを制御することを特徴とする。
（６）さらに、前記尿受が、前記駆動手段に対して着脱可能に設けたことを特徴とする。
（７）また、前記便器本体の正面側の上縁前方部に、便鉢の下方に向かって傾斜する勾配が設けられたことを特徴とする。
【発明の効果】
【０００７】
本発明によれば、尿受が便器本体の外側に出っ張って設けられるので、立って用をたす使用者の飛散尿を受けることができ、床の汚れを防止できる。また、この尿受は駆動手段により便器本体に収容される。このため着座して用をたす使用者にとっては邪魔にならない。
【図面の簡単な説明】
【０００８】
【図１】本実施形態に係る尿受を備えた洋風便器の斜視図である。
【図２】本実施形態に係る尿受を備えた洋風便器の側面断面図である。
【図３】本実施形態に係る尿受の側面断面図である。
【図４】本実施形態に係る尿受の上面図である。
【図５】本実施形態に係る尿受の正面断面図である。
【図６】本実施形態に係る制御ブロック図である。
【図７】本実施形態に係る勾配が設けられた上縁前方部の斜視図である。
【図８】本実施形態に係る便座の下面に備えられた上縁洗浄手段を示す側面断面図である。
【図９】本実施形態に係る尿受洗浄、上縁洗浄に関する制御ブロック図である。
【図１０】本実施形態に係る飛散尿排水通路に備えられた臭気遮断手段を示す側面断面図である。
【図１１】本実施形態に係るメッシュシートで覆われた尿受面の前面を示す上面図である。
【図１２】本実施形態に係るメッシュシートで覆われた尿受面を示すＡ-Ａ′断面図である。
【発明を実施するための形態】
【０００９】
本発明の実施形態に係る洋風便器を図面に基づいて詳細に説明する。なお、各図に亘って示される同じ符号は、同一または同様のものを示す。
【００１０】
本実施形態に係る洋風便器１は、図１〜図３に示すように、便器本体２と、この便器本体２の上縁６に開閉自在に設けられた便座３と、便座３の上方に開閉自在に設けられた便蓋５とを備えている。便器本体２は、大小便が排泄される便鉢４と、便鉢４の下方に接続されているトラップ部８と、トラップ部８に接続されている排水路９と、を備えている。また、便器本体２の便鉢４の下方は、後述する尿受１０及び駆動手段を収納する収納スペース７として中空に形成されている。この便器本体２の正面側（前側側面）には、収納スペース７に通じる開口１６が開設されている。この開口１６の形状は、限定されるものではないが、尿受１０の正面形状に倣うとともに、尿受１０より少し寸法的に大きくしたものがよい。また、排水路９の途中には、収納スペース７に通ずる飛散尿排出通路１７が形成されている。飛散尿排出通路１７は、例えば、排水路９の下部から便器本体２の前方に向かって、上方に傾斜して延出する矩形の管状体により形成される。洋風便器１は、さらに、尿受１０と、駆動手段と、検知手段２２と、制御手段２３と、を備えている。
【００１１】
尿受１０は、図３及び図４に示すように、底板部１１と、前壁部１２と、左右の側壁部１３と、を備えている。
【００１２】
底板部１１は、便器本体２の前後方向に延在する板状の部分であり、飛散尿を受けるために上向きに設けられた尿受面１４を有する。この尿受面１４の形状は、後側より前側が幅広く形成されたものが好ましく、代表的にはＴ字型である。尿受面の最大幅（Ｗａ）は、２０〜３０ｃｍであり、その長さ（Ｗｂ）は、４０〜７０ｃｍである。
【００１３】
前壁部１２は、底板部１１の前端から上方に突出して形成されている。この前壁部１２の外周面は、クッション材１５に覆われている。クッション材１５としては、代表的には、ウレタンゴムやシリコンゴムなど、柔らかいゴムが用いられる。このクッション材１５は、接着剤に代表される取付手段を用いて前壁部１２の外周面の全面に取り付けられる。また、クッション材１５の上面前端には、上方に延出する土手部６２が設けられている。土手部６２の上端と、便器本体２の正面側側面に設けられた開口１６との隙間は、零か微小であることが好ましい。側壁部１３は、底板部１１の両サイドから上方に突出して、前端から後端にかけて延在している。
【００１４】
尿受１０の材質は、鋼やアルミニウム合金などの金属、セラミックス、プラスチックスが用いられる。鋼、アルミニウム合金を用いる場合は、腐食しないように、クロムメッキ、アルマイトなどの表面処理を施すことが好ましい。
【００１５】
尿受１０は、尿受面１４を上方に向け、かつその後側を下方に傾けた姿勢で、後述する駆動手段に取り付けられている。そして、駆動手段により、便器本体２に対して収納された状態、又は出っ張った状態に設けられる。ここで、便器本体２に対して収納された状態とは、尿受１０の全体が収納スペース７に入った状態であり、尿受２の後方部分が飛散尿排出通路１７を形成している矩形の管状体に挿入された状態である。また、便器本外２から出っ張った状態とは、尿受面１４の幅広部分が便器本体から突出し、かつ尿受１０の後端部が飛散尿排出通路１７を形成している矩形の管状体に挿入された状態である。
【００１６】
駆動手段は、図３及び図５に示されるように、尿受１０を便器本体２に出入りさせる。この駆動手段は、尿受１０に接続されており、尿受１０を便器本体２の前後方向に直進運動させる手段であり、代表的には、尿受１０を案内する案内手段１８と、案内手段１８を作動させる駆動源４１（図６）と、から構成されている。この案内手段１８は、代表的には、出力軸にモータ等の駆動源４１が接続されており、便器本体２の前後方向に延在している本体２０と、この本体内に設けられており、便器本体２の前後方向にネジ軸を向けたボールネジ４３と、このボールネジ４３に螺合するナット４４と尿受１０の間に介在し、本体２０に沿って摺動移動するスライダー１９と、から構成されている。なお、駆動源４１としてのモータは、パルス数に応じて回転数が制御できるステッピングモータを用いることができる。なお、本体２０は取付治具２１を介して床部に取り付けられている。駆動手段は、他には、案内手段１８としてエアーシリンダーを用い、駆動源４１としてエアーコンプレッサーを用いてもよい。
【００１７】
図６に示されるように検知手段２２は、便座３の開閉状態を検知して、便座３の開状態又は閉状態の信号を出力する。このような検知手段２２は、例えば近接スイッチを用いる。近接スイッチは、検出体である便座３が、検出面である便器本体２の上縁６に近接したとき（便座が下ろされた状態）に閉信号を出力し、便座３が便器本体２の上縁６から離れたとき（便座が上げられた状態）に開信号を出力する。このような近接スイッチとしては、代表的には便器本体２の上縁６にスイッチ本体と、便座３の下面に検知対象（図示せず）の金属と、を設けた誘導型近接スイッチを用いることができる。また、スイッチ本体を便座３の下面に設けて、検知対象（図示せず）を便器本体２の上縁６に設けても良い。その他の近接スイッチとして光電型スイッチ、静電容量型スイッチ、超音波型スイッチなどの各種スイッチを用いてもよい。さらに、便座３を開閉自在に支持する回転軸（図示せず）の角度を検出するセンサーを配置して、開閉状態を検知してもよい。
【００１８】
制御手段２３は、図６に示されるように、検知手段２２及び駆動手段の駆動源４１と電気的に接続されたシーケンサーやマイクロコンピューターを使用する。この制御手段２３は、検知手段２２からの信号を受信して、駆動手段による尿受１０の出し入れを制御する。具体的には、制御手段２３は、検知手段２２からの信号が閉状態から開状態に変化したときには、駆動手段の駆動源４１に対して、スライダー１９を所定の前位置まで前進させる前進信号を送信する。また、制御手段２３は、検知手段２２からの信号が開状態から閉状態に変化したときには、駆動手段の駆動源４１に対してスライダー１９を所定の後位置まで後退させる後退信号を送信する。なお、前進信号または後退信号を送信した後、開状態又は閉状態の信号が継続して検知手段２２から出力されているときには、制御手段２３は、駆動手段の駆動源４１に対して信号を送信しない。
【００１９】
本実施形態に係る洋風便器１は次のように動作する。まず、使用者が便座３を開ける前（便座が閉じられた状態）は、検知手段２２から閉状態の信号が継続して出力される。このとき、制御手段２３は駆動源４１に対して信号を送信しない。よって、尿受１０は便器本体２内の収納スペース７に収容されている。なお、この状態にある尿受１０の位置を初期位置という。次に、使用者が便座３を開けると、検知手段２２から開状態の信号が制御手段２３に送信される。制御手段２３は、検知手段２２からの信号が閉状態から開状態に変化したことを検出して、駆動源４１に前進信号を送信する。すると、駆動源４１はボールネジ４３を正回転させる。これによりスライダー１９が前位置まで移動されて、スライダー１９に取り付けられた尿受１０は収納スペース７の初期位置から使用者側に向けて便器本体２から出っ張った状態で停止する。よって、尿受１０の尿受面１４が上方に向いた状態で便器本体２の正面側に出っ張って設けられる。そして、使用者が小用をするとき、便器本体２の上縁６を越えた尿は、尿受面１４に落ちることになる。もし尿受１０の前壁部１２の周縁全面に設けられたクッション材１５の上面に尿が落ちたとしても、クッション材１５の前端に土手部６２が延在しているため、尿は土手部６２を越えて、尿受１０の外に飛散するのを防止することができる。またクッション材１５を設けられた尿受１０は、前端から後端に向けて下方に傾斜して取り付けられているため、クッション材１５の上面に落ちた尿は、尿受面１４に導かれる。尿受面１４に落ち、または導かれた尿は、尿受面上を後方に流れて、飛散尿排出通路１７から排水路９に流れる。次に、使用者が小用を終えて便座３を閉じると、検知手段２２から閉状態の信号が制御手段２３に送信される。制御手段２３は、検知手段２２からの信号が開状態から閉状態に変化したことを検知して、駆動源４１に後退信号を送信する。すると、駆動源４１はボールネジ４３を逆回転させる。これによりスライダー１９が後位置まで移動されて、スライダー１９に取り付けられた尿受１０が便器本体内の収納スペース７に収納される。
【００２０】
上述のように、使用者が立って小用をたすときには、尿受１０が使用者の足元まで出て（前進して）いるので、尿の勢いが弱くなって、尿が便器本体２の上縁６を越えて使用者に近づいたとしても、尿受１０が尿を受けるので、尿が床に飛散することはない。また着座して用をたす場合は、尿受１０は便器本体２の収納スペース７に収容されており、使用者の邪魔にはならない。
【００２１】
本実施形態の洋風便器１は、図３と図４に示されるように、尿受面１４に水を流す流水手段を備えてもよい。この流水手段は、尿受１０に形成された流水経路と、洗浄水供給チューブ３１と、尿受洗浄水用電動弁４９（図９）と、検知手段２２（図９）と、制御手段２３（図９）と、を備えた構成である。
【００２２】
流水経路は、洗浄水を流す経路であり、尿受１０の前壁部１２の内面に開設された一又は複数の流水孔２４と、尿受１０の底板部１１の下面に開設された注入孔２８と、注入孔２８から流水孔２４にかけて連通する導水路と、から構成されている。なお、注入孔２８と導水路を形成するために、底板部１１の前方部分は、その厚さが大きく設けられるのが好ましい。流水孔２４は、注入孔２８、及び導水路は、例えば、ドリルを用いて開設される。具体的には、前壁部１２の外面側から、前壁部１２の内面まで貫通するようにドリルにより孔を開ける。これにより流水孔２４が形成される。次に側壁部１３から流水孔２４を貫くようにドリルにより横孔を開ける。これにより導水路の横穴部２５が形成される。さらに、底板部１１の前方の下面から横穴部２５に向けてドリルにより孔を開ける。これにより、導水路の第一縦穴部２６が形成される。次に、底板部１１の前方の側面から第一縦穴部２６を通り後方に向かってドリルにより孔を開ける。これにより、導水路の主横穴部２７が形成される。そして、底板部１１の中ほどの下面から主横穴部２７にかけてドリルで孔を開ける。これにより、第二縦穴部である注入孔２８が形成される。なお、前壁部１２、側壁部１３及び底板部１１の外面形状に形成された孔は、シールテープを捲いたテーパネジ３０等で塞ぎ、水漏れが無いようにする。
【００２３】
注入孔２８に取り付けた管継手６１に、洗浄水供給チューブ３１の一端が接続される。さらに、洗浄水供給チューブ３１の他端が尿受洗浄水用電動弁４９（図９）に接続される。尿受洗浄水用電動弁４９は、洗浄水としての水道水を洗浄水供給チューブ３１に対し通し、又は止める開閉機構と、この開閉機構を作動させる電動機と、を有しており、制御手段２３と電気的に接続されている。尿受洗浄水用電動弁４９は、制御手段２３からの指令信号により作動する。制御手段２３は、便器本体２の上縁６に設けられた検知手段２２からの信号が開状態から閉状態に変化したことを検出したとき、尿受洗浄水用電動弁４９に対して弁を開かせる信号を送信する。弁が開かれた尿受洗浄水用電動弁４９から供給された洗浄水は、洗浄水供給チューブ３１、注入孔２８、導水路、流水孔２４の順に通過して、流水孔２４から洗浄水が尿受面１４に一定時間放水され、尿受面１４が洗浄される。尿受面１４を洗浄した水は、尿と共に飛散尿排出通路１７を経由して排水路９に排出される。流水孔２４は尿受１０の側壁部１３の内面に設けてもよい。一定時間経過すると制御手段２３は尿受洗浄水用電動弁４９に対して弁を閉める信号を送信する。
【００２４】
このような構成によると、小用を終えて便座３を閉じると、流水孔２４からの放水で尿受面１４が洗浄されるため、尿受面１４を清潔に保てる。
【００２５】
図６に示されるように、例えば、尿受１０の出し入れを操作する操作スイッチ４２を設けてもよい。操作スイッチ４２は、便器本体２の近接する位置に設けられた操作ボックス（図示せず）上に配設される。この操作スイッチ４２は、制御手段２３と通信可能であり、使用者による操作に基づいて、出入りの信号を制御手段２３に送信する。この操作信号は、尿受１０を出没させるための「出」信号と、尿受１０を収納させるための「入」信号である。制御手段２３は、操作スイッチ４２からの出入りの信号を受信すると、この信号に基づいて駆動手段の駆動源４１を作動させる。これにより、尿受１０が便器本体２に対して出入りする。このような構成によると、使用者が必要な時に尿受１０を出し入れすることができる。
【００２６】
上述の尿受１０の出し入れ用の操作スイッチ４２とは別に、図９に示されるように、流水手段を操作する操作スイッチ４８を設けてもよい。操作スイッチ４８は、便器本体２の近接する位置に設けられた操作ボックス上に配設される。この操作スイッチ４８は、制御手段２３と通信可能であり、使用者による操作に基づいて、操作信号を制御手段２３に送信する。この操作信号は、流水手段に洗浄水を放出させる「放出」信号と、放出した洗浄水を止める「止」信号である。制御手段２３は、操作スイッチ４８からの操作信号を受信すると、この信号に基づいて尿受洗浄水用電動弁４９を作動させ、弁を開く。これにより、流水孔２４から水が尿受面１４に放出される。このような構成によると、必要な時に流水孔２４から水を放出し、尿受面１４を洗浄できる。
【００２７】
本実施形態の洋風便器１は、図３、図５に示されるように、尿受１０を着脱可能な構造にしても良い。代表的には、底板部１１の下面にＶ溝３７を有する尿受１０と、このＶ溝３７に係合するボールプランジャー３５を有し、スライダー１９と尿受１０の間に介在する尿受載置台２９と、ボールプランジャー３５に係合している尿受１０の上下方向の動きを規制するガイドプレート３２と、を備えてもよい。Ｖ溝３７は、尿受１０の底板部１１の下面において、その長手方向に直交して形成されている。尿受載置台２９は、スライダー１９上に配置され、スライダー１９に対して螺子止めされている。この尿受載置台２９に尿受１０が載置される。尿受載置台２９には、ボールプランジャー３５がボール３６を上方に突出させた状態で埋設されており、ボールプランジャー３５のボール３６は、圧縮バネ３９により上向きに付勢されている。このボールプランジャー３５のボール３６は、尿受載置台２９が初期位置に配置された場合にＶ溝３７に入り込むように設けられている。ガイドプレート３２は、尿受１０の後方部分に被さった状態で、尿受載置台２９に取り付けられている。尿受１０は、ガイドプレート３２の内面４０と尿受載置台２９の上面３８により形成された空間に、案内され、挿入される。そして尿受載置台２９と尿受１０の位置関係が、初期位置になったとき、ボール３６がＶ溝３７に嵌まり込み、係合される。このような構成によると、尿受１０を空間に挿入すると、所定の位置でボールプランジャー３５とＶ溝３７が係合し、位置決め、取り付けられる。尿受１０を「出」の方向に引っ張り、「出」の引張力がボールプランジャー３５とＶ溝３７による係合力より強くなったとき、尿受１０は尿受載置台２９から取り外される。
【００２８】
本実施態様の洋風便器１は、図３に示されるように、案内手段１８の本体２０の前端部に検知手段３３を配設し、この前端部と対向する尿受１０の端面に検知対象３４を設けてもよい。また、Ｖ溝３７の溝幅は前方に幅広に形成されてもよい。これにより、ボール３６の遊び範囲が前方に設けられる。検知手段３３は誘導型近接スイッチ、光電型近接スイッチ、静電容量型近接スイッチ、リミットスイッチなどの各種センサーが用いられる。尿受１０と尿受載置台２９は、初期位置において、Ｖ溝３７とボールプランジャー３５で係合されている。尿受１０が出て（前進し）、使用者の脚部にあたり、所定の力が尿受１０に働く。所定の力が、Ｖ溝３７とボールプランジャー３５のボール３６との係合力より強くなると、尿受１０のＶ溝３７が尿受載置台２９のボールプランジャー３５のボール３６に対して変位（後退）して、検知手段３３と検知対象３４は接近する。検知手段３３により接近状態が検知され、制御手段２３に送信される。制御手段２３は、検知手段３３からの信号が「離間」した状態から「接近」した状態に変化したとき、駆動手段を停止させる。その結果、駆動手段に尿受載置台２９を介して取り付けられた尿受１０は停止する。このとき、尿受１０の下面のＶ溝３７と尿受載置台２９のボールプランジャー３５のボール３６との位置関係は、ボール３６の遊びの範囲内にあるため、駆動手段が停止されると、尿受１０と尿受載置台２９の位置関係は、初期位置に復帰する。また、尿受１０は、便座３を閉じる閉信号または操作スイッチ４２（図６）による操作信号が制御手段２３に送信されるまで、停止状態が維持される。このような構成によると、尿受１０が出て（前進し）、使用者の脚部にあたった場合、一定の力が尿受１０のクッション材１５に働くと、検知手段３３により尿受１０の変位が検知され、駆動手段が停止されるため、過度な負荷が脚部にかからず、安全である。
【００２９】
また、尿受１０の先端、又はクッション材１５の先端に、尿受前方の使用者の脚部との距離を検知する変位センサー（図示せず）を設けても良い。変位センサーは制御手段２３と電気的に接続されており、この制御手段２３は、尿受１０を直進運動させる駆動手段の送り速度を制御することができる。便座３が開かれ、開信号が制御手段２３に送信されると、制御手段２３は、駆動源４１、例えば、ステッピングモータに、指令信号を送信し、ボールネジ４３を回転させる。ボールネジ４３に螺合するナット４４を介して尿受載置台２９に取り付けられた尿受１０が前進し、使用者の脚部に近づく。前進する尿受１０と使用者の脚部の間隔が所定の間隔になると、変位センサーにより脚部が検知される。脚部が検知されると、検知信号が制御手段２３に送信され、制御手段２３は、駆動源４１であるステッピングモータの回転速度を下げ、尿受１０の送り速度を下げる。変位センサーはレーザ式変位センサー、ＬＥＤ式変位センサー、超音波式変位センサーなどが用いられる。このような構成によると、尿受１０が前進するとき、脚部に近づくまでは、尿受１０は速く前進し、脚部に所定の距離まで近づくと、尿受１０は、前進を停止するまでの間、送り速度を下げて、遅く前進することができる。
【００３０】
本実施形態の洋風便器１は、図７に示されるように、便器本体２の正面側の上縁前方部５９に便鉢４に向かって下に傾斜する勾配を設けてもよい。このような構成によると、便器本体２の上縁６を越えて便器本体外に飛散する飛散尿は、まず上縁前方部５９に落下するが、上縁前方部５９が便鉢４に向かって下に傾斜しているため、その勾配を伝って便鉢４に落下する。また、このように上縁前方部５９に落下する飛散尿を広い範囲でカバーする（便鉢４に流す）には、勾配が設けられる上縁前方部５９の幅（Ｗｃ）は、２０ｃｍ〜３０ｃｍあるほうがよい。このような洋風便器１によれば、上縁前方部５９に尿が留まらないので、上縁前方部５９の汚れを低減できる。
【００３１】
さらに、洋風便器１は、図８、図９に示されるように、上縁前方部５９に水を吐出する上縁洗浄手段を備えてよい。この上縁洗浄手段は、吐出孔４５が開設されている上縁洗浄用チューブ６０と、上縁洗浄水用電動弁５１と、制御手段２３と、検知手段２２と、を備えた構成である。上縁洗浄用チューブ６０は、一端が閉じられており、他端は上縁洗浄水用電動弁５１に接続されている。この上縁洗浄用チューブ６０は、便座３の下面側の周縁に沿って、かつ前方部分を経由して配置され、例えば、便座３の下面に貼り合わされた取付具４６により固定される。なお、上縁洗浄用チューブ６０はゴム足４７を迂回して配されるのが好ましい。上縁洗浄用チューブ６０には複数の吐出孔４５が開設されており、便座３を閉じた状態において、各吐出孔４５が上縁前方部５９に対向している。上縁洗浄水用電動弁５１は、洗浄水としての水道水を上縁洗浄用チューブ６０に送り、または止める開閉機構と、この開閉機構を作動させる電動機（図示せず）とを有しており、制御手段２３と電気的に接続されている。上縁洗浄水用電動弁５１は、制御手段２３からの指令信号により作動する。制御手段２３は、便器本体２の上縁６に設けられた検知手段２２からの信号が開状態から閉状態に変化したことを検出したとき、上縁洗浄水用電動弁５１に対して弁を開かせる指令信号を一定時間送信する。このような構成によると、小用を終えて便座３を閉じると、便座３の閉信号が制御手段２３に出力され、上縁洗浄水用電動弁５１が開かれ、吐出孔４５から上縁前方部５９に向けて水が一定時間吐出されるように設けられる。吐出された水で上縁前方部５９が洗浄され、傾斜勾配を伝って、便鉢４に落下する。このように、上縁洗浄手段により上縁前方部５９を洗浄することができ、清潔に保つことができる。
【００３２】
さらにまた、洋風便器１は、図９に示されるように、操作ボックス（図示せず）に上縁洗浄用の操作スイッチ５０を設けても良い。この操作スイッチ５０は、制御手段２３と通信可能であり、使用者による操作に基づいて、「吐出」の信号を制御手段２３に送信する。便座３を閉じた後に、制御手段２３は、操作スイッチ５０からの「吐出」の信号を受信すると、この信号に基づいて上縁洗浄水用電動弁５１を作動させ、弁を開く。これにより、上縁洗浄用チューブ６０を経由して吐出孔４５から洗浄水が吐出され、上縁前方部５９が洗浄される。また、便器本体２の上縁前方部側に上縁洗浄用チューブ６０などの上縁洗浄手段を配設し、洗浄水を吐出させてもよい。
【００３３】
以上、本発明の実施形態について説明したが、本発明はその趣旨を逸脱しない範囲で、当業者の知識に基づき種々の改良、修正、変形を加えた態様で実施し得るものであり、これらの態様はいずれも本発明の範囲に属するものである。
【００３４】
例えば、本発明の洋風便器１は、図１０に示されるように、排水路９から飛散尿排出通路１７を経て、便器本体２の開口１６から漏れる臭気を遮断する臭気遮断手段を備えても良い。この臭気遮断手段が設けられる便器本体２の飛散尿排出通路１７は、天井部５６の先端が底部５８及び両側壁部５７よりも短く形成されている。シャッター５２は、板状体であり、板面で飛散尿排出通路１７を封鎖するように設けられている。具体的には、シャッター５２は、底部５８、両側壁部５７、及び天井部５６により形成されている開口に板面が直交して配置される。このシャッター５２の下端は底部５８に当接しており、シャッター５２の両横は互いに側壁部５７に沿って設けられている。移動手段は、シャッター５２を移動させる手段であり、代表的には、自己保持型のプッシュプルソレノイド５３を用いることができる。このプッシュプルソレノイド５３のプランジャー５４は、その先端にシャッター５２が接続されており、シャッター５２を、開口に対する直交方向に上げ下げする。プッシュプルソレノイド５３は、取付金具５５を介して飛散尿排出通路１７を形成する管状体に取り付けられる。また、プッシュプルソレノイド５３は、制御手段２３と電気的に接続されており、制御手段２３からの指令信号により、プランジャー５４を上げ下げさせる。具体的には、検知手段２２からの信号が開状態から閉状態に変化したことを検出したとき、制御手段２３は、プッシュプルソレノイド５３に対してシャッター５２を持ち上げる「上げ」信号を一定の間送信する。これにより、底部５８とシャッター５２の間に隙間が生じ、この隙間を通じて飛散尿が飛散尿排出通路１７へと流れる。一定の間が経過すると、制御手段２３はプッシュプルソレノイド５３に対してシャッター５２を下げる「下げ」信号を送信する。これにより、底部５８とシャッター５２の下端が当接し、飛散尿排出通路１７が封鎖される。このため、便器本体２の排水路９からの臭気が収納スペース７を通じて便器本体２の開口１６から漏れるのを防止できる。
【００３５】
また、図１１、図１２に示されるように、尿受面１４の前面を覆うようにメッシュシート６５を設けても良い。メッシュシート６５は、覆うべき尿受面１４の前面のサイズと同等か、幾分小さなサイズに切り取られて形成される。このようにして形成されたメッシュシート６５を、尿受面１４の上側から後述するメッシュシート取付板６３のフック６４に、ピンと張るようにして引っ掛ける。張設したメッシュシート６５の尿受面１４からの位置は、流水孔２４より下側にある方が好ましい。メッシュシート６５は、ポリプロピレン、ポリエチレンを代表とする樹脂糸を用いることができる。メッシュシート６５を構成する樹脂糸の径は、０．２〜０．８ｍｍを範囲とするものが好ましく、目開きは１．０〜２．０ｍｍが好ましい。またメッシュシート６５の色は、清潔感のある青色が好ましい。メッシュシート６５を取り付けるメッシュシート取付板６３は、一面を側壁部１３に対向させた状態で、この側壁部１３に沿って延在している。また、メッシュ取付板６３は、その他面から上方に突出する複数のフック６４を有している。複数のフック６４は、所定の間隔で他面に形成されている。さらに、メッシュシート取付板６３は、他面から一面へ貫く複数の皿孔を有し、この皿孔を通して、対向する両側の側壁部１３に皿螺子止めされる。メッシュシート取付板６５は、上面視した尿受１０の側壁部１３の内面形状に倣うように、例えば、金属の薄板を板金加工して形成される。さらに、フック６４が、メッシュシート取付板６５の他面の所定位置に、溶接又は接着剤にて固定される。メッシュシート取付板６３は、ステンレス板、鋼板を代表とする金属の薄板を用いることができ、鋼板を用いる場合は腐食防止のため、クロムメッキなどの表面処理を行うことが好ましい。また、成形加工で形成したプラスチック板、セラミック板を用いてもよい。このようなメッシュシート６５で覆われた尿受面１４を有する尿受１０を備えた洋風便器１を用いると、尿受１０に落下する尿は、まずメッシュシート６５に当たって落下エネルギーが吸収され、尿受面１４からの跳ね返りが弱まるため、尿が尿受１０の外側に跳ねず、尿で床部を汚すのを抑えることができる。また尿で汚れたメッシュシート６５は、流水孔２４がメッシュシート６５の上側に位置するため、流水孔２４から水が放出される際に、水で洗浄され好ましい。
【産業上の利用可能性】
【００３６】
本発明によれば、洋風便器で使用者が立って、小用をする場合の飛散尿による床部の汚れを防ぐことができ、また着座して用をたす使用者には邪魔にならないため、家庭用または公共用のトイレに適用することにより、清掃の手間が大きく省ける。また美観を保つことができる。
【符号の説明】
【００３７】
１  ...  洋風便器
２  ...  便器本体
３  ...  便座
４  ...  便鉢
１０  ...  尿受
１４  ...  尿受面
１５  ...  クッション材
２２  ...  検知手段
２３  ...  制御手段
４２  ...  操作スイッチ
５９  ...  上縁前方部
【要約】
【課題】使用者（男性）が洋風便器の便座を開いて、小用をたすとき、便器本体の上縁を越えて、飛散尿が床に落ちて汚すことがある。このような飛散尿による床汚れを発生させないようにした洋風便器を提供する。
【解決手段】洋風便器１であり、飛散尿を尿受面１４で受ける尿受１０と、尿受１０を出入りさせる駆動手段と、便座３の開閉を検知する検知手段２２と、前記検知手段２２からの信号を受信して、前記駆動手段による前記尿受１０の出入りを制御する制御手段２３とを備える。便座３を開くと、
開信号が制御手段２３に送信され、制御手段２３により駆動手段が作動され、尿受１０が便器本体外に出される。
【選択図】図２【図１】
0005808875.tif 000002
【図２】
0005808875.tif 000003
【図３】
0005808875.tif 000004
【図４】
0005808875.tif 000005
【図５】
0005808875.tif 000006
【図６】
0005808875.tif 000007
【図７】
0005808875.tif 000008
【図８】
0005808875.tif 000009
【図９】
0005808875.tif 000010
【図１０】
0005808875.tif 000011
【図１１】
0005808875.tif 000012
【図１２】
0005808875.tif 000013